(57)【要約】【課題】トイレ装置の利用者がリモコン装置を操作したときに、その利用者の人体がリモコン装置から出力する電波に与える影響を低減すること。【解決手段】便器に設置されるトイレ装置本体と、トイレ装置本体を制御するための電波信号を送信するループアンテナを筐体内に備えたリモコン装置とを有するトイレ装置において、リモコン装置は、筐体の前面側又は上面側に配置され、トイレ装置本体を制御するための操作スイッチを備え、ループアンテナは、操作スイッチとは離隔した位置であって、少なくとも左右側方部のうちいずれか一側方部に配置する。【選択図】図３
2007146398.tif 000002
【特許請求の範囲】
【請求項１】
便器に設置される洗浄機能部、乾燥機能部又は脱臭機能部を有するトイレ装置本体と、前記トイレ装置本体の前記機能部を制御するための電波信号を送信するループアンテナを筐体内に備えたリモコン装置とを有するトイレ装置において、
前記リモコン装置は、
前記筐体の前面側又は上面側に配置され、前記トイレ装置本体を制御するための操作スイッチを備え、
前記ループアンテナは、前記操作スイッチとは離隔した位置であって、少なくとも左右側方部のうちいずれか一側方部に配置されたことを特徴とするトイレ装置。
【請求項２】
前記ループアンテナは、前記リモコン装置の左右両側方側に配置されたことを特徴とする請求項１に記載のトイレ装置。
【請求項３】
前記ループアンテナは、一つのエレメントで前記リモコン装置の左側方側から右側方側にかけて連続的に形成されたことを特徴とする請求項２に記載のトイレ装置。
【請求項４】
前記リモコン装置は、
前記ループアンテナから送信される電波信号を遮断する電波遮断部を備え、
前記電波遮断部は、前記筐体内側の背部から側部にかけて、前記側部側の一部が開口するように設けられたことを特徴とする請求項１〜３のいずれか１項に記載のトイレ装置。
【請求項５】
前記リモコン装置を保持すると共に、壁面に取付けられるリモコンホルダーを有し、
前記リモコンホルダーは、前面と側面の一部とを開口した箱状の導電部材を有していることを特徴とする請求項１〜３のいずれか１項に記載のトイレ装置。
【請求項６】
前記電波信号は、微弱電波方式の搬送波周波数で無線回路より送信することを特徴とする請求項１〜５のいずれか１項に記載のトイレ装置。
【発明の詳細な説明】
【技術分野】
【０００１】
本発明は、トイレ装置の技術に関し、特に衛生洗浄装置などのように便器に設置されるトイレ装置本体と、このトイレ装置本体を制御するための電波信号を送信するリモコン装置とを有するトイレ装置に関する。
【背景技術】
【０００２】
近年、便器を設置したトイレブースには、その快適さから、洗浄機能部、乾燥機能部、脱臭機能部などの各種機能部を有する衛生洗浄装置と呼ばれるトイレ装置が取り付けられてきている。
【０００３】
この種のトイレ装置は、トイレ装置本体とリモコン装置から構成され、トイレ装置本体は便器に、リモコン装置は便器の前方右壁面或いは前方左壁面に取り付けられるのが一般的である（たとえば、特許文献１参照。）。
【０００４】
そして、トイレ装置の利用者が便座に座っている状態で、前方右壁面或いは前方左壁面に取り付けられたリモコン装置を操作することによって、リモコン装置からの制御信号がトイレ装置本体へ送られ、その信号を受信したトイレ装置本体によって制御信号に応じた制御が行われる。
【０００５】
ここで、トイレ装置本体を制御するためのリモコン装置の方式として、特許文献１のように赤外線を利用するものと、特許文献２のように電波を利用するものがある。
【０００６】
赤外線を利用するリモコン装置は、赤外線を利用しているため指向性が強く、人体が赤外線の光路を遮るとトイレ装置本体にて赤外線光を受信できないことがあることから、特許文献１のようにリモコン装置からの赤外線光を天井に反射させてトイレ装置本体へ到達させたり、或いは複数の方向に赤外線光を出射させたりすることによって、人体の影響を避ける工夫をしている。
【０００７】
一方で、電波を用いた無線通信は、電波を利用していることから赤外線通信に比べて人体の影響を受けにくい。しかも、消費電力も小さくすることができることから、容量の小さな電池を用いることができ、それによってリモコン装置の小型化を図ることができる。
【０００８】
近年、トイレ装置本体を制御するリモコン装置では、その小型化、薄型化が求められており、その点で電波を用いたリモコン装置が適している。
【０００９】
【特許文献１】特公平１−５０７３０号公報
【特許文献２】特開平５−２７２１６４号公報
【発明の開示】
【発明が解決しようとする課題】
【００１０】
ところで、トイレ装置本体を制御するリモコン装置は、上述のようにトイレ装置の利用者が便座に座っている状態で操作ができるように前方右壁面或いは前方左壁面に取り付けなければならない。このように壁面に取り付けたリモコン装置の厚みがあると、トイレ装置の利用者の邪魔になる。そのためリモコン装置が邪魔にならないように厚みを薄くする必要がある。
【００１１】
リモコン装置の厚みを薄くするためには、アンテナが占有する領域を小さくしなければならない。そこで、リモコン装置内の制御基板や操作基板上に形成される金属箔パターンを用いることによってアンテナが占有する領域を小さくすることが考えられる。すなわち、金属箔パターンを基板上にループ上に形成してループアンテナとするのである。
【００１２】
このループアンテナが形成される制御基板や操作基板は、リモコン装置の厚みを薄くするために壁面と平行に配置することが望ましい。しかし、このようにアンテナを壁面と平行に配置すると、壁面に平行な方向の電波に比べ、壁面に垂直な方向の電波の方が弱くなってしまう。
【００１３】
したがって、このようにループアンテナを制御基板や操作基板に形成し、この基板を壁面に平行に配置するようなリモコン装置においては、電波を効率よくトイレ装置本体へ送信することができない。
【００１４】
また、トイレ装置の利用者がトイレ装置本体を制御するためにリモコン装置を操作したとき、利用者の人体がリモコン装置に近接することによって、リモコン装置から送信される電波の強度が人体の影響により低下してしまう。特に、上述のようにリモコン装置内部に設けたループアンテナは、アンテナをリモコン装置外部に設けるのに比べ、人体の近接度合いが高くなりその影響を受けやすい。
【００１５】
加えて、人体の手は水分を含んでいることから導電体とみなすことができ、その手がループアンテナに近接したり、アンテナ面上の空間を遮ったりするとアンテナのインピーダンスマッチングが変化し電波出力レベルが小さくなる。
【００１６】
また、リモコン装置の送信アンテナとトイレ装置本体の受信アンテナとの間に人体が存在することによっても、人体の影響を与えてしまうことになる。
【００１７】
さらに、出力する電波が弱い微弱電波方式のリモコン装置においては、赤外線を用いたリモコン装置に比べ大きくないものの人体の影響をある程度受けてしまう。そのため、トイレ装置本体との通信ができなくなる恐れが顕著となる。
【００１８】
そこで、本発明は、トイレ装置の利用者がリモコン装置を操作したときに、その利用者の人体がリモコン装置から出力する電波に与える影響を低減することができるリモコン装置を提供することを目的とする。
【課題を解決するための手段】
【００１９】
そこで、請求項１に記載の発明は、便器に設置され洗浄機能部、乾燥機能部又は脱臭機能部を有するトイレ装置本体と、前記トイレ装置本体の前記機能部を制御するための電波信号を送信するループアンテナを筐体内に備えたリモコン装置とを有するトイレ装置において、前記リモコン装置は、前記筐体の前面側又は上面側に配置され、前記トイレ装置本体を制御するための操作スイッチを備え、前記ループアンテナは、前記操作スイッチとは離隔した位置であって、少なくとも左右側方部のうちいずれか一側方部に配置されたことを特徴とする。
【００２０】
また、請求項２に記載の発明は、請求項１に記載の発明であって、前記ループアンテナは、前記リモコン装置の左右両側方側に配置されたことを特徴とする。
【００２１】
また、請求項３に記載の発明は、請求項２に記載の発明であって、前記ループアンテナは、一つのエレメントで前記リモコン装置の左側方側から右側方側にかけて連続的に形成されたことを特徴とする。
【００２２】
また、請求項４に記載の発明は、請求項１〜３のいずれか一項に記載の発明であって、前記リモコン装置は、前記ループアンテナから送信される電波信号を遮断する電波遮断部を備え、前記電波遮断部は、前記筐体内側の背部から側部にかけて、前記側部側の一部が開口するように設けられたことを特徴とする。
【００２３】
また、請求項５に記載の発明は、請求項１〜３のいずれか一項に記載の発明であって、前記リモコン装置を保持すると共に、壁面に取付けられるリモコンホルダーを有し、前記リモコンホルダーは、前面と側面の一部とを開口した箱状の導電部材を有していることを特徴とする。
【００２４】
また、請求項６に記載の発明は、請求項１〜５のいずれか一項に記載の発明であって、前記電波信号は、微弱電波方式の搬送波周波数で無線回路より送信することを特徴とする。
【発明の効果】
【００２５】
請求項１に記載の発明によれば、トイレ装置の利用者がリモコン装置を操作するときに、人体が接触する操作ボタンから離隔した位置にループアンテナを設けているので、利用者の人体がリモコン装置から出力する電波に与える影響を低減することができる。
【００２６】
また、請求項２に記載の発明によれば、ループアンテナがリモコン装置の左右両側方側に配置されているため、リモコン装置を左右のいずれの壁面に取り付けた場合であっても、トイレ装置本体に近い距離で送信でき、利用者の人体を避けることができるので、リモコン装置とトイレ装置本体との通信を良好に行うことができる。
【００２７】
また、請求項３に記載の発明によれば、ループアンテナがリモコン装置の左側方側から右側方側にかけて連続的に形成されているため、複数のループアンテナを用いることなく、リモコン装置を左右のいずれの壁面に取り付けた場合であっても、トイレ装置本体に近い距離で送信でき、利用者の人体を避けることができるので、リモコン装置とトイレ装置本体との通信を良好に行うことができる。
【００２８】
また、請求項４に記載の発明によれば、リモコン装置を取り付ける壁に導電部材が存在する場合であっても、電波遮蔽部によってその影響を低減することができる。しかも、側部の開口部からループアンテナからの電波を送信することができるため、リモコン装置がトイレ装置本体の前方の側壁に取り付けられたときに、壁面の影響をなくし、リモコン装置とトイレ装置本体との通信を良好に行うことができる。
【００２９】
また、請求項５に記載の発明によれば、リモコン装置を取り付ける壁に導電部材が存在する場合であっても、リモコン装置の構成を変えることなく、電波遮蔽部によってその影響を低減することができる。しかも、側部の開口部からループアンテナからの電波を送信することができるため、リモコン装置がトイレ装置本体の前方の側壁に取り付けられたときに、壁面の影響をなくし、リモコン装置とトイレ装置本体との通信を良好に行うことができる。
【００３０】
また、請求項６に記載の発明によれば、免許や技術適合証明を取得する必要がない微弱電波方式の搬送波周波数で無線回路より送信する構成で行なっても、電波が弱いのにもかかわらず、リモコン装置とトイレ装置本体との通信を良好に行うことができる。
【発明を実施するための最良の形態】
【００３１】
（第１実施形態）
以下、本発明の実施の形態におけるトイレ装置Ｓについて、図面を参照しながら説明する。図１は、トイレブースに設置されたトイレ装置Ｓを示す図である。
【００３２】
図１に示すように、本発明の実施形態におけるトイレ装置Ｓは、トイレブース内の便器４に設置されたトイレ装置本体１と、このトイレ装置本体１を制御するための電波信号を送信する後述の無線回路２５とループアンテナ２９とを有するリモコン装置２ａと、リモコン装置２ａを保持すると共に、トイレブースの壁面１０に取付けられるリモコンホルダー３ａ（図４参照）とから構成される。なお、トイレブースの壁面１０は、塩ビやポリエステル系樹脂を印刷又は張り合わせた鋼板等の導電部材を有する部材（たとえば、塩ビ鋼板）で形成されている。
【００３３】
トイレ装置本体１は、便器４上に設置され、各種機能を制御するための制御部等を有する衛生洗浄装置本体５と、衛生洗浄装置本体５に回動可能に連結された便座６と、同じく衛生洗浄装置本体５に回動可能に連結された便蓋７とから構成される。
【００３４】
衛生洗浄装置本体５は、洗浄機能部、乾燥機能部、脱臭機能部、便座保温機能部など各種機能部を動作させる本体制御部（図示せず）を有し、さらにリモコン装置２ａから送信される電波信号を受信する受信アンテナ及び電波受信部を備えている。そして、リモコン装置２ａから電波として出力される制御信号（以下、「電波信号」とする。）を、受信アンテナを介して電波受信部で受信すると、本体制御部は、その電波信号に従った制御を行うようになっている。
【００３５】
次に、リモコン装置２ａの具体的構成について、図面を参照して具体的に説明する。図２はリモコン装置２ａのブロック構成図、図３はリモコン装置２ａの透視斜視図、図４はリモコンホルダー３ａ及びリモコン装置２ａの断面図である。
【００３６】
図２に示すように、リモコン装置２ａは、各種洗浄機能ボタン、乾燥ボタン、洗浄パワー制御ボタン、マッサージボタンなどの操作スイッチ部としての入力部２２と、時刻や制御内容を表示するための表示部２３と、各種設定内容などを記憶する記憶部２４と、衛生洗浄装置本体５へ制御信号を送受信するための無線回路２５と、無線回路２５から出力される制御信号を電波信号に変換してトイレ装置本体１へ送信するループアンテナ２９と、リモコン装置２ａ全体の制御を統括する制御部２６とから構成される。
【００３７】
そして、トイレ装置本体１の使用者によって入力部２２が操作されると、制御部２６がその操作を検出し、操作された入力部２２のボタン種別に応じた制御信号を無線回路２５へ出力する。そして、無線回路２５がその制御信号を高周波変調信号へ変換し、ループアンテナ２９によって、電波信号として衛生洗浄装置本体５へ送信する。
【００３８】
ここで、無線回路２５は、変調回路２７と、増幅回路２８とから構成されている。変調回路２７は、制御部２６から入力される制御信号を、内部の発振回路（図示せず）で発生した所定周波数信号（例えば、４４．５７ＭＨｚ）に基づき、周波数逓倍回路（図示せず）にて周波数の逓倍化を行い、さらに内部の帯域フィルタ回路（図示せず）で所定の高次高調波成分（例えば、７次高調波成分の３１２ＭＨｚ帯域）のみを通過させる機能を有する回路である。また、増幅回路２８は、変調回路２７から出力される信号の電力を増幅するとともに、後述するループアンテナ２９との整合回路（図示せず）を有する回路である。
【００３９】
また方式として、免許や技術適合証明を取得する必要がない微弱電波方式を採用している。（無線設備から３ｍの距離において、離れた地点の電界強度が３２２ＭＨｚ以下→５００μＶ／ｍ以下）よって、ここでは微弱電波方式で３１２ＭＨｚの搬送波周波数で無線回路２５を形成している。
【００４０】
また、ループアンテナ２９は、上述のように増幅回路２８から出力された増幅信号を電波信号として衛生洗浄装置本体５へ出力するアンテナであり、後述のプリント基板３３上に形成されている。プリント基板３３は、このエポキシ樹脂によって形成された基板上に銅箔などの金属箔がパターン形成されてなり、ループアンテナ２９はこの金属箔パターンによって形成されている。
【００４１】
図３は、リモコン装置２ａの外観を示す図であり、この図に示すように、リモコン装置２ａは、その筐体３０を厚さ方向ｔが薄い略箱状の形状としており、その前面部１２ｆには、筐体前面端部以外の筐体前面部分に操作パネルとしての入力部２２や表示部２３などが設けられている。なお、筐体３０の右側部１２ａ、左側部１２ｃ、下側部１２ｂ及び上側部１２ｄは、それぞれ略平面状に形成されており、前面部１２ｆの端部に設けられている。
【００４２】
また、筐体３０内には、この筐体３０の前面部１２ｆと平行に設けられたプリント基板３３が配置されており、このプリント基板３３上に形成されたループアンテナ２９は、図３に示すように、筐体３０の前面に設けられた操作スイッチである入力部２２と離隔した位置であって、右側部１２ａ近傍、すなわち筐体３０内の右側方部に配置される。したがって、トイレ装置Ｓの利用者が、リモコン装置２の入力部２２を操作した場合であっても、ループアンテナ２９の位置が利用者の人体から離隔する位置となり、入力部２２の位置の近くにループアンテナ２９が配置されるのに比べ、利用者の人体がリモコン装置から出力する電波に与える影響を低減することができる。なお、入力部２２と離隔した位置とは、入力部２２を操作する人体の影響を可及的に受けない、入力部２２から離れた位置をいう。
【００４３】
また、リモコン装置２ａは、図４に示すように、その筐体３０背面に設けられた係止部３９が、トイレブースの壁面１０に取り付けられたリモコンホルダー３ａの係止部２１とで係合することによって、壁面１０に着脱自在に取り付けられている。なお、リモコンホルダー３ａは、ねじ４２によって壁面に取り付けられる。
【００４４】
そして、リモコン装置２ａがリモコンホルダー３ａを介して左壁面１０に取り付けられた状態（図１，図５参照。）において、筐体３０の側部のうち、右側部１２ａがもっともトイレ装置本体１に近い位置にある。したがって、図５に示すように、トイレ装置本体１に近い距離で送信でき、上側部１２ｄ側や左側部１２ｃ側にループアンテナ２９を設けるのに比べ、利用者の人体を避けることができるので、リモコン装置とトイレ装置本体との通信を良好に行うことができる。
【００４５】
また、プリント基板３３上に形成するループアンテナ２９を、図３に示すように筐体３０内の右側方部に設けるのではなく、図６に示すように、筐体３０の前面部１２ｆに設けられた操作スイッチである入力部２２と離隔した位置であって、左側部１２ｃ近傍、すなわち筐体３０内の左側方部に配置されるようにしてもよい。このようにすれば、リモコン装置２ａがリモコンホルダー３ａを介して右壁面に取り付けられた状態において、筐体３０の側部のうち、左側部１２ｃがもっともトイレ装置本体１に近い位置となり、上記と同様に、トイレ装置本体に近い距離で送信でき、利用者の人体を避けることができるので、リモコン装置とトイレ装置本体との通信を良好に行うことができる。
【００４６】
また、プリント基板３３上に形成するループアンテナ２９を、図７や図８に示すように、筐体３０の前面に設けられた操作スイッチである入力部２２と離隔した位置であって、筐体３０内の左側方部側と右側方部とにそれぞれ配置されるようにしてもよい。この場合、ループアンテナ２９は、第１ループアンテナ２９ａと第２ループアンテナ２９ｂとによって構成され、第１ループアンテナ２９ａと第２ループアンテナ２９ｂは、無線回路２５に接続される。そして、第１ループアンテナ２９ａと第２ループアンテナ２９ｂは、無線回路２５から出力され、増幅された高周波変調信号をそれぞれ電波信号に変換し、衛生洗浄装置本体５へ送信する。
【００４７】
ここで、図９に示すように、第１ループアンテナ２９ａと無線回路２５との間、及び第２ループアンテナ２９ｂと無線回路２５との間に、切替スイッチ４０を設けて、電波信号を出力するループアンテナを選択するようにしてもよく、ループアンテナの選択の方法として、切替スイッチ４０を手動で切り替える方法と、自動で切り替える方法がある。
【００４８】
手動で切替スイッチ４０を切り替える方法は、たとえば、図１０に示すように、筐体３０の上側部１２ｄ或いは下側部１２ｂなどから切替スイッチ４０の操作部分を露出させ、リモコン装置２ａを右壁面に取り付けたときには第１ループアンテナ２９ａが動作するように、リモコン装置２ａを左壁面に取り付けたときには第２ループアンテナ２９ｂが動作するように、トイレ装置Ｓの利用者がその切替スイッチ４０ａを手動で切り替える。
【００４９】
また、自動で切替スイッチ４０を切り替える方法として、たとえば、制御部２６が、切替スイッチ４０を所定時間毎に制御することによって第１ループアンテナ２９ａからの電波信号と、第２ループアンテナ２９ｂからの電波信号とを交互に時分割で入れ替える方法がある。このように、第１ループアンテナ２９ａからの電波信号と、第２ループアンテナ２９ｂからの電波信号とを交互に時分割で出力することにより、リモコン装置２ａを右壁面に取り付けたときでも、リモコン装置２ａを左壁面に取り付けたときでも、トイレ装置本体１に近い距離で電波信号を送信でき、また利用者の人体を避けることができるので、リモコン装置２ａとトイレ装置本体１との通信を良好に行うことができる。
【００５０】
また、プリント基板３３上に形成するループアンテナ２９を、図１１に示すように、筐体３０の前面に設けられた操作スイッチである入力部２２と離隔した位置であって、一つのエレメントでリモコン装置２ａの左側部１２ｃ側から右側部１２ａ側にかけてリモコン装置２ａの上側部１２ｄ側或いは下側部１２ｂを経由して連続的に形成してもよい。このように構成することにより、リモコン装置２ａを左右のいずれの壁面に取り付けた場合であっても、トイレ装置本体１に近い距離で送信でき、利用者の人体を避けることができるので、リモコン装置２ａとトイレ装置本体１との通信を良好に行うことができ、しかも複数のループアンテナを用いる必要がない。
【００５１】
また、プリント基板３３上に形成するループアンテナ２９を、図１２に示すように、筐体３０の前面に設けられた操作スイッチである入力部２２と離隔した位置であって、一つのエレメントでプリント基板３３の外縁近辺に環状に連続的に形成してもよい。このように構成することにより、ループアンテナ２９が側部１２ａ〜１２ｄそれぞれの近傍に形成されることになるため、リモコン装置２ａを左右のいずれの壁面に取り付けた場合であっても、トイレ装置本体１に近い距離で送信でき、利用者の人体を避けることができるので、リモコン装置２ａとトイレ装置本体１との通信を良好に行うことができ、しかも複数のループアンテナを用いる必要がない。
【００５２】
なお、本実施形態においては、操作スイッチとしての入力部２２を筐体３０の前面部１２ｆに設けるようにしているが、図１３に示すように、筐体３０の上面側である上側部１２ｄに単独に或いは前面部１２ｆと共に操作スイッチとしての入力部２２を設け、この入力部２２と離隔した位置であって、筐体３０内の左側部１２ｃ側や右側部１２ａ側にループアンテナ２９を配置するようにしてもよく、上述と同様の効果を得ることができる。
【００５３】
以上のように、本実施形態におけるトイレ装置Ｓは、リモコン装置の筐体の前面側又は上面側に配置された操作スイッチと離隔した位置であって、少なくとも左右側方部のうちいずれか一側方部に配置されたループアンテナによって、トイレ装置本体１との通信を行うようにしているため、トイレ装置の利用者がリモコン装置を操作するときに、人体が接触する操作ボタンから離隔した位置にループアンテナを設けているので、利用者の人体がリモコン装置から出力する電波に与える影響を低減することができる。
【００５４】
なお、リモコン装置２ａの入力部２２のうち、使用頻度が高い操作ボタン（例えば、洗浄機能ボタン（図中、「おしり」、「ビデ」、「止」））をループアンテナ２９からより離隔した位置に形成するようにしてもよい。このように、入力部２２を配置することによって、使用頻度が高い操作ボタンほど利用者の人体を避けることができるので、リモコン装置２ａとトイレ装置本体１との通信をより良好に行うことができる。
【００５５】
また、リモコン装置２ａの制御部２６は、操作ボタンにおけるループアンテナ２９との離隔距離に応じて、操作ボタンの操作時点からの電波信号の出力タイミングを遅らせるようにしてもよい。たとえば、ループアンテナ２９との離隔距離が所定距離以下の操作ボタンが操作されたとき、その操作時点から所定時間経過してから無線回路２５を制御してループアンテナ２９から電波信号を出力させる。また、ループアンテナ２９との離隔距離が短くなるにつれ、操作ボタンの操作時点からの電波信号の出力タイミングを遅らせるようにする。このように制御することによって、使用頻度が低い操作ボタンほど利用者の人体に近くなるが、操作時点から所定期間経過後、すなわち人体が操作ボタンから離れた後電波信号を出力するので、リモコン装置２ａとトイレ装置本体１との通信をより良好に行うことができる。
【００５６】
（第２実施形態）
次に、第２実施形態におけるトイレ装置について、図面を参照しながら説明する。なお、第２実施形態のトイレ装置は、リモコン装置を除いて、第１実施形態のトイレ装置Ｓと同様の構成であるため、トイレ装置本体１及びリモコンホルダー３ａの機能及び構成の説明は省略するものとする。また、リモコン装置２ｂについても、第１実施形態のリモコン装置２ａと異なる部分である後述の電波遮断部のみ説明し、第１実施形態におけるリモコン装置と同様の構成及び機能については説明を省略する。また、同一機能のものについては同一符号を付するものとする。
【００５７】
上記第１実施形態に説明したように、本実施形態におけるリモコン装置２ｂにおいても、その筐体の前面側又は上面側に配置された操作スイッチと離隔した位置であって、少なくとも左右側方部のうちいずれか一側方部に配置されたループアンテナによって、利用者の人体がリモコン装置から出力する電波に与える影響を低減することができる。
【００５８】
ところで、トイレ装置が取り付けられるトイレブースによっては、その壁面を塩ビ鋼板としているものがある。例えば、ビジネスホテルなどのトイレ付きユニットバスなどである。
【００５９】
このような塩ビ鋼板で形成された壁面に第１実施形態におけるリモコン装置２ａを取り付けると、リモコン装置２ａが塩ビ鋼板に近接して配置されることになり、この壁面の鋼板とリモコン装置との間で浮遊容量や相互インダクタンスが発生する場合がある。
【００６０】
一般に、このような浮遊容量や相互インダクタンスは小さく、制御部２６などには影響を与えることは少ないが、無線回路２５においては、比較的小さい値のコンデンサ素子やインダクタンス素子、又インピーダンスが高い部分などが存在し、この浮遊容量や相互インダクタンスの影響が無視できない。すなわち、この浮遊容量や相互インダクタンスが、無線回路２５から発生する電波の周波数や強度に影響を及ぼすことになる。
【００６１】
そのため、塩ビ鋼板などの導電部材を有する壁面にリモコン装置を取り付けると、リモコン装置２ａの無線回路２５が出力する電波の周波数ずれや出力レベル低下などの現象が発生し、このリモコン装置２ａから出力される電波をトイレ装置本体１側で受信できなくなる恐れがある。
【００６２】
本第２実施形態におけるリモコン装置２ｂにおいては、リモコン装置２ｂを取り付ける壁に上述のような導電部材が存在するか否かにかかわらず、その出力する電波の周波数やレベルを安定させるために、リモコン装置２ｂの背部１２ｅ及び側部１２ａ〜１２ｄの内側に電波遮断部として鋼板を設け、しかも、ループアンテナ２９近傍の側部を開口させているため、ループアンテナ２９からの電波信号を可及的に阻害しない。なお、鋼板に代えて基部内面に導電性部材を蒸着等によって形成するようにしてもよい。
【００６３】
ここで、電波遮断部は、電波出力を減衰させたり、リモコン装置２ｂ以外の浮遊容量や相互インダクタンスの影響を低減する機能のものである。
【００６４】
すなわち、トイレ装置Ｓ１のリモコン装置２ｂは、図１４に示すように、背部１２ｅ及び側部１２ａ〜１２ｄの内側面側に電波遮断部として鋼板１３ａ〜１３ｅをそれぞれ設けており、壁面１０の導電部材とリモコン装置２ｂとの間で発生する浮遊容量や相互インダクタンスによる無線回路２５への影響を低減することが可能となる。したがって、導電部材が取り付けられた壁面に、リモコン装置２ｂを取り付けた場合にでも、その出力する電波の周波数や出力レベルの変化を抑えることができる。
【００６５】
また、プリント基板３３上に形成するループアンテナ２９は、図１４に示すように、筐体３０の前面に設けられた入力部２２と離隔した位置であって、筐体３０内の右側方部に配置される。そして、筐体３０の右側部１２ａの側面であって、ループアンテナ２９に近接する位置には鋼板１３ａを配置しない。すなわち、電波遮断部である鋼板１３ａ〜１３ｅを、筐体３０内側の背部１２ｅから側部１２ａ〜１２ｄにかけて設け、側部１２ａに対応する鋼板１３ａの一部が開口する。
【００６６】
このようにリモコン装置２ｂを構成しているので、導電部材が取り付けられた壁面に、リモコン装置２ｂを取り付けた場合にでも、その出力する電波の周波数や出力レベルの変化を抑えることができる。また、リモコン装置２ｂがリモコンホルダー３ａを介して右壁面に取り付けられた状態において、筐体３０の側部のうち、右側部１２ａがもっともトイレ装置本体１に近い位置となり、トイレ装置本体に近い距離で送信でき、さらに、利用者の人体を避けることができる。また、右側部１２ａの一部に電波遮断部を設けていないため、リモコン装置とトイレ装置本体との通信を良好に行うことができる。
【００６７】
なお、本実施形態においては、ループアンテナ２９が筐体３０内の右側方部に配置されることとして説明したが、上述の図６に示すように、ループアンテナ２９を筐体３０内の左側方部に配置した場合には、右側部１２ａに対応する鋼板１３ｃをその一部又は全部が開口するように構成すればよい。
【００６８】
また、上述の図７に示すように、ループアンテナ２９を筐体３０内の左側部１２ｃ側と右側部１２ａ側とにそれぞれ配置した場合には、左右側部１２ｃ，１２ａに対応する鋼板１３ｃ，１３ａをその一部又は全部が開口するように構成すればよい。
【００６９】
（第３実施形態）
第２実施形態においては、リモコン装置２ｂに電波遮断部を設けることとして説明したが、この電波遮断部をリモコン装置に設けずに、リモコンホルダーに設けるようにしている。このように構成することにより、リモコン装置に変更を加えなくとも、リモコンホルダーを変更するだけでよいため、メリットがある。
【００７０】
以下、第３実施形態におけるトイレ装置について、図面を参照しながら説明する。
なお、第３実施形態のトイレ装置は、リモコンホルダー３ｂを除いて、第１実施形態のトイレ装置Ｓと同様の構成であるため、トイレ装置本体１及びリモコン装置２ａの機能及び構成の説明は省略するものとする。また、同一機能のものについては同一符号を付するものとする。
【００７１】
図１５に示すように、リモコンホルダー３ｂは、リモコン装置２ａを壁面１０に平行に保持すると共に、リモコン装置２ａの側部１２ａ〜１２ｄ及び背部１２ｅを覆う電波遮断部４５ａ〜４５ｄを設けており、壁面１０の導電部材とリモコン装置との間で発生する浮遊容量や相互インダクタンスによる無線回路２５への影響を低減することが可能となる。したがって、導電部材が取り付けられた壁面に、リモコン装置を取り付けた場合にでも、その出力する電波の周波数や出力レベルの変化を抑えることができる。
【００７２】
また、リモコンホルダー３ｂは、プラスチックなどの合成樹脂からなる前面を開口した箱状のケースを基部とし、その基部内側部４４ａ〜４４ｄは、電波遮断部としての薄い鋼板４５ａ〜４５ｄが配置されている。この鋼板は、基部内側部４４ａ〜４４ｄに沿うように一部が開口した方形の環状をなしている。すなわち、リモコンホルダー３ｂがリモコン装置２ａを保持した状態において、図１５に示すように、ループアンテナ２９に近接する位置には鋼板１３ａを配置しない。このように、電波遮断部である鋼板４５ａ〜４５ｅを、背部４４ｅから側部４４ａ〜４４ｄにかけて設け、側部４４ａに対応する鋼板４５ａの一部又は全部が開口するように設けている。なお、鋼板に代えて基部内面に導電性部材を蒸着等によって形成するようにしてもよい。
【００７３】
リモコンホルダー３ｂの内部は、リモコン装置２ａをその開口から挿入することによりリモコン装置２ａが係合する形状となっている。本実施形態においては、リモコンホルダー３ｂの側部内周をリモコン装置２ａの側部１２ａ〜１２ｄ外周とほぼ同一寸法とすることによって、リモコン装置２ａをリモコンホルダー３ｂに嵌合させることによって上記係合を行うようにしている。
【００７４】
このようにリモコンホルダー３ｂを構成しているので、導電部材が取り付けられた壁面に、リモコン装置２ａを取り付けた場合でも、その出力する電波の周波数や出力レベルの変化を抑えることができる。また、リモコン装置２ａがリモコンホルダー３ｂを介して左壁面に取り付けられた状態において、筐体３０の側部のうち、右側部１２ａがもっともトイレ装置本体１に近い位置となり、トイレ装置本体に近い距離で送信でき、さらに、利用者の人体を避けることができる。また、リモコンホルダー３ｂの右側部４４ａの一部に電波遮断部を設けていないため、リモコン装置とトイレ装置本体との通信を良好に行うことができる。
【００７５】
なお、本実施形態においては、ループアンテナ２９が筐体３０内の右側方部に配置されることとして説明したが、上述の図６に示すように、ループアンテナ２９を筐体３０内の左側方部に配置した場合には、リモコンホルダー３ｂの左側部４４ｃに対応する鋼板４５ｃの一部又は全部が開口するように構成すればよい。
【００７６】
また、上述の図７に示すように、ループアンテナ２９を筐体３０内の左側部１２ｃ側と右側部１２ａ側とにそれぞれ配置した場合には、リモコンホルダー３の左右側部４４ｃ，４４ａに対応する鋼板４５ｃ，４５ａの一部又は全部が開口するように構成すればよい。
【図面の簡単な説明】
【００７７】
【図１】本発明の実施形態に係るトイレブースに設置されたトイレ装置を示す図。
【図２】本発明の実施形態に係るリモコン装置のブロック構成図。
【図３】本発明の実施形態に係るリモコン装置の透視斜視図
【図４】本発明の実施形態に係るリモコンホルダー及びリモコン装置の断面図。
【図５】本発明の実施形態に係るトイレ装置を設置したトイレブースを上方から見た図。
【図６】本発明の実施形態に係る他のリモコン装置の透視平面図。
【図７】本発明の実施形態に係るまた他のリモコン装置の透視平面図。
【図８】本発明の実施形態に係るさらに他のリモコン装置の透視平面図。
【図９】本発明の実施形態に係る別のリモコン装置の透視斜視図。
【図１０】本発明の実施形態に係る別のリモコン装置の斜視図。
【図１１】本発明の実施形態に係るまた別のリモコン装置の斜視図。
【図１２】本発明の実施形態に係るさらに別のリモコン装置の斜視図。
【図１３】本発明の実施形態に係るまたさらに別のリモコン装置の斜視図。
【図１４】第２実施形態におけるリモコン装置の斜視図。
【図１５】第３実施形態におけるリモコン装置の斜視図。
【符号の説明】
【００７８】
Ｓ  トイレ装置
１  トイレ装置本体
２ａ，２ｂ  リモコン装置
３ａ，３ｂ  リモコンホルダー
４  便器
１０  壁面
１２ａ〜１２ｄ  リモコン装置の側部
１２ｅ  リモコン装置の背面部
１３ａ〜ｅ  鋼板
２２  入力部
２５  無線回路
２６  制御部
２８  増幅回路
２９，２９ａ，２９ｂ  ループアンテナ
３０  リモコン装置の筐体
３３  プリント基板
４０  切替スイッチ
４４ａ〜４４ｄ  リモコン筐体の側部
４５ｅ  リモコン筐体の背部
４５ａ〜４５ｅ  鋼板
【図１】
2007146398.tif 000003
【図２】
2007146398.tif 000004
【図３】
2007146398.tif 000005
【図４】
2007146398.tif 000006
【図５】
2007146398.tif 000007
【図６】
2007146398.tif 000008
【図７】
2007146398.tif 000009
【図８】
2007146398.tif 000010
【図９】
2007146398.tif 000011
【図１０】
2007146398.tif 000012
【図１１】
2007146398.tif 000013
【図１２】
2007146398.tif 000014
【図１３】
2007146398.tif 000015
【図１４】
2007146398.tif 000016
【図１５】
2007146398.tif 000017